(57)【要約】【課題】走行経路の各区間に対する走行モードの計画の適正化を促進することのできる移動支援装置を提供する。【解決手段】移動支援装置は、内燃機関とモータとを駆動源として備える車両の現在地から目的地までの移動を支援する。移動支援装置は、現在地から目的地までの走行経路を区切った各区間について、当該区間に関連付けられた走行負荷に基づき、バッテリの蓄電量を維持しないＥＶモードと、バッテリの蓄電量を維持するＨＶモードとのいずれかの走行モードを計画するモード計画部と、走行経路上の渋滞している区間の情報を取得する交通情報取得部と、を備える。モード計画部は、渋滞している区間に設定されている走行負荷Ｐｊａｍよりも走行負荷が低い区間を優先して走行モードをＥＶモードに計画する。【選択図】図２
2015157570.tif 000002
【特許請求の範囲】
【請求項１】
内燃機関とモータとを駆動源として備える車両の現在地から目的地までの移動を支援する移動支援装置であって、
現在地から目的地までの走行経路を区切った各区間について、当該区間に関連付けられた走行負荷に基づき、バッテリの蓄電量を維持しない第１のモードと、前記バッテリの蓄電量を維持する第２のモードとのいずれかの走行モードを計画するモード計画部と、
前記走行経路上の渋滞している区間の情報を取得する交通情報取得部と、を備え、
前記モード計画部は、前記渋滞している区間に設定されている走行負荷よりも走行負荷が低い区間を優先して走行モードを第１のモードに計画する
ことを特徴とする移動支援装置。
【発明の詳細な説明】
【技術分野】
【０００１】
本発明は、車両の複数の走行モードの適用を管理する移動支援装置に関する。
【背景技術】
【０００２】
従来、上述のような複数の走行モードを備える車両として、内燃機関とモータとを駆動源として用いるハイブリッド車両が知られている。ハイブリッド車両は、複数の走行モードとして、内燃機関を停止させてモータのみを用いて走行するＥＶ走行を優先することでバッテリの蓄電量を維持しない第１のモード（ＥＶモード）や、内燃機関とモータとを使用して走行するＨＶ走行を優先することでバッテリの蓄電量を維持する第２のモード（ＨＶモード）などを備えている。また、ハイブリッド車両に搭載されるナビゲーションシステム等を含む移動支援装置は、地図情報や道路交通情報などに基づいて、現在地から目的地までの走行経路を算出するとともに、走行経路中の区切りとなる各区間に適用する走行モードを選択するなどの支援を行う。例えば、特許文献１には、こうした移動支援機能を有する車両の制御装置の一例が記載されている。
【先行技術文献】
【特許文献】
【０００３】
【特許文献１】特開２００９−１２６０５号公報
【発明の概要】
【発明が解決しようとする課題】
【０００４】
ところで、特許文献１に記載の車両の制御装置では、目的地において二次電池であるバッテリの残量が零になるように、走行経路全体のエネルギー収支を考慮して走行経路の各区間の走行モードを設定している。ところが、交通流の変化などによって予測が外れ、バッテリの残量が予測よりも早く減少したような場合には、走行モードの再計画によって走行モードが大きく異なることがあるなど、運転者に違和感を与えることがある。
【０００５】
なお、こうした課題は、エネルギー収支の異なる複数の走行モードを備える車両を対象に走行モードの割り当てを行う装置あるいは方法にあっては、概ね共通した課題となっている。
【０００６】
本発明は、こうした実情に鑑みてなされたものであり、その目的は、走行経路の各区間に対する走行モードの計画の適正化を促進することのできる移動支援装置を提供することにある。
【課題を解決するための手段】
【０００７】
以下、上記課題を解決するための手段及びその作用効果について説明する。
上記課題を解決する移動支援装置は、内燃機関とモータとを駆動源として備える車両の現在地から目的地までの移動を支援する移動支援装置であって、現在地から目的地までの走行経路を区切った各区間について、当該区間に関連付けられた走行負荷に基づき、バッテリの蓄電量を維持しない第１のモードと、前記バッテリの蓄電量を維持する第２のモードとのいずれかの走行モードを計画するモード計画部と、前記走行経路上の渋滞している区間の情報を取得する交通情報取得部と、を備え、前記モード計画部は、前記渋滞している区間に設定されている走行負荷よりも走行負荷が低い区間を優先して走行モードを第１のモードに計画することをその要旨としている。
【０００８】
上記構成では、渋滞している区間に設定されている走行負荷よりも走行負荷が低い区間、例えば下り坂等の回生エネルギーが得られる区間が優先して走行モードが第１のモードに計画される。このため、交通流の変化などによって予測が外れたときに走行モードの再計画を行ったとしても、渋滞している区間よりも走行負荷が低い区間から優先して第１のモードが走行モードとして計画されるので、走行経路の各区間に対する走行モードの計画の適正化が促進されるようになる。
【図面の簡単な説明】
【０００９】
【図１】移動支援装置の一実施形態についてその概略構成を示すブロック図。
【図２】同実施形態の移動支援装置による走行モードの計画処理についてその処理手順を示すフローチャート。
【図３】同実施形態の移動支援装置による走行モードの計画処理についてその処理手順を示すフローチャート。
【図４】移動支援装置により走行モードが計画される走行経路の各区間に対する消費エネルギーを例示する図。
【図５】（ａ）〜（ｄ）は、移動支援装置により走行モードが計画される走行経路の各区間に対する走行モードの計画を例示する図。
【図６】（ａ）、（ｂ）は、移動支援装置により走行モードが計画される走行経路の各区間に対する走行モードの計画を例示する図。
【図７】（ａ）〜（ｄ）は、上記実施形態の移動支援装置により走行モードが計画される走行経路の各区間に対する走行モードの計画を例示する図。
【発明を実施するための形態】
【００１０】
以下、図１〜図７を参照して、移動支援装置を具体化した一実施形態について説明する。なお、本実施形態の移動支援装置は、二次電池からなるバッテリを動力源として用いる電動モータ、及びガソリンやその他の燃料を動力源として用いる内燃機関をそれぞれ駆動源とするハイブリッド車両に適用される。
【００１１】
図１に示すように、車両１００には、車両１００の走行状態を検出する装置として、例えばＧＰＳ（Ｇｌｏｂａｌ  Ｐｏｓｉｔｉｏｎｉｎｇ  Ｓｙｓｔｅｍ）１０１、車載カメラ１０２、ミリ波レーダー１０３、加速度センサ１０４、及び車速センサ１０５等が搭載されている。これらＧＰＳ１０１、車載カメラ１０２、ミリ波レーダー１０３、加速度センサ１０４、及び車速センサ１０５は、例えばＣＡＮ（Ｃｏｎｔｒｏｌｌｅｒ  Ａｒｅａ  Ｎｅｔｗｏｒｋ）などの車載ネットワークＮＷを介して、ハイブリッド制御装置１１０、ナビゲーションシステム１２０のナビ制御装置１２１、及びエンジン制御装置１３０に接続されている。また、ハイブリッド制御装置１１０、ナビ制御装置１２１、及びエンジン制御装置１３０は、いわゆるＥＣＵ（電子制御装置）であって、演算装置や記憶装置を有する小型コンピュータを含んで構成されている。ハイブリッド制御装置１１０、ナビ制御装置１２１、及びエンジン制御装置１３０は、記憶装置に記憶されたプログラムやパラメータを演算装置により演算することによって各種制御を行うことができる。
【００１２】
ＧＰＳ１０１は、ＧＰＳ衛星からの信号を受信し、この受信したＧＰＳ衛星からの信号に基づき車両１００の位置を、例えば緯度経度として検出する。また、ＧＰＳ１０１は、この検出した車両１００の位置（緯度経度）を示す情報である位置情報を出力する。車載カメラ１０２は、車両１００の周辺環境を撮像し、この撮像した画像データを出力する。ミリ波レーダー１０３は、ミリ波帯の電波を用いて車両１００周辺に存在する物体を検知し、この検知結果に応じた信号を出力する。
【００１３】
加速度センサ１０４は、車両１００の加速度を検出し、この検出した加速度に応じた信号を出力する。車速センサ１０５は、車両１００の車輪の回転速度を検出し、この検出した回転速度に応じた信号を出力する。
【００１４】
アクセルセンサ１０６は、ドライバによるアクセルペダルの操作量を検出し、この検出したアクセルペダルの操作量に応じた信号を出力する。ブレーキセンサ１０７は、ドライバによるブレーキペダルの操作量を検出し、この検出したブレーキペダルの操作量に応じた信号を出力する。
【００１５】
また、車両１００には、内燃機関の駆動状態を制御するアクセルアクチュエータ１０８、及びブレーキを制御するブレーキアクチュエータ１０９が設けられている。アクセルアクチュエータ１０８やブレーキアクチュエータ１０９は、車載ネットワークＮＷに電気的に接続されている。アクセルアクチュエータ１０８は、アクセルセンサ１０６の検出値に応じてエンジン制御装置１３０が算出する内燃機関の制御量に基づき内燃機関を制御する。また、ブレーキアクチュエータ１０９は、ブレーキセンサ１０７の検出値に応じてエンジン制御装置１３０が算出するブレーキの制御量に基づきブレーキを制御する。
【００１６】
さらに、車両１００には、駆動源である電動モータの動力源であるバッテリ１１３と、バッテリ１１３の充放電を制御する電池アクチュエータ１１２が設けられている。電池アクチュエータ１１２は、車載ネットワークＮＷに電気的に接続されている。電池アクチュエータ１１２は、バッテリ１１３の充放電等を管理する。また、電池アクチュエータ１１２は、バッテリ１１３の放電を制御することにより電動モータを駆動させたり、電動モータの回生によりバッテリ１１３を充電させたりする。
【００１７】
車両１００には、内燃機関及び電動モータの駆動状態を制御するハイブリッド制御装置１１０が設けられている。ハイブリッド制御装置１１０は、車載ネットワークＮＷを介して、電池アクチュエータ１１２、アクセルアクチュエータ１０８、及びブレーキアクチュエータ１０９に電気的に接続されている。
【００１８】
ハイブリッド制御装置１１０は、加速度センサ１０４、車速センサ１０５、及びアクセルセンサ１０６の検出結果に基づいて、内燃機関及び電動モータの駆動力の配分（出力比）を定める。特に、ハイブリッド制御装置１１０は、内燃機関及び電動モータの駆動力の配分（出力比）の変更によってバッテリ１１３のエネルギー残量であるバッテリ１１３の残量を調整するようにしている。ハイブリッド制御装置１１０は、内燃機関を停止させて電動モータを駆動源として用いるＥＶ走行、内燃機関及び電動モータを駆動源として用いるＨＶ走行を実行する。
【００１９】
ハイブリッド制御装置１１０は、バッテリ１１３の蓄電量を消費するモードであるＣＤ（Ｃｈａｒｇｅ  Ｄｅｐｌｅｔｉｎｇ）モード、及び、バッテリ１１３の蓄電量を維持するモードであるＣＳ（Ｃｈａｒｇｅ  Ｓｕｓｔａｉｎｉｎｇ）モードを適宜選択する。
【００２０】
ＣＤモードは、バッテリ１１３の蓄電量を維持することなく、バッテリ１１３に充電された電力を積極的に消費するモードであり、ＥＶ走行を優先させるモードである。以下、このＣＤモードをＥＶモードとして説明する。なお、ＥＶモードであっても、アクセルペダルが大きく踏み込まれて大きな走行パワーが要求されれば内燃機関は駆動される。
【００２１】
ＣＳモードは、バッテリ１１３の蓄電量を基準値に対して所定の範囲に維持させるモードであり、蓄電量を維持させるために必要に応じて内燃機関を駆動させて電動モータを回生運転させＨＶ走行を優先するモードである。以下、このＣＳモードをＨＶモードとして説明する。なお、ＨＶモードであっても、バッテリ１１３の蓄電量が基準値を上回っていれば内燃機関が停止する。ＨＶモードの基準値には、ＥＶモードからＨＶモードに変更されたときの蓄電量の値、又は、バッテリ１１３の性能維持を図るために必要とされる蓄電量の値が適宜設定される。
【００２２】
ハイブリッド制御装置１１０は、選択されたＥＶモード又はＨＶモードの下、駆動力の配分に基づいて、バッテリ１１３の放電等に関する電池アクチュエータ１１２の制御指令や、エンジン制御装置１３０に算出させる内燃機関の制御量に関する情報を生成する。また、ハイブリッド制御装置１１０は、加速度センサ１０４、車速センサ１０５、及びブレーキセンサ１０７の検出結果に基づいて、ブレーキ及び電動モータの制動力の配分を定める。ハイブリッド制御装置１１０は、制動力の配分に基づいて、バッテリ１１３の充電等に関する電池アクチュエータ１１２の制御指令や、エンジン制御装置１３０に算出させるブレーキの制御量に関する情報を生成する。つまり、ハイブリッド制御装置１１０は、生成した制御指令を電池アクチュエータ１１２に出力することによりバッテリ１１３の充放電を制御する。これにより、バッテリ１１３の放電によりバッテリ１１３を動力源（電力源）とする電動モータが駆動されたり、電動モータの回生によりバッテリ１１３が充電されたりする。また、ハイブリッド制御装置１１０は、ハイブリッド制御の実行状況やバッテリ１１３の充電率を監視することが可能となっている。
【００２３】
ハイブリッド制御装置１１０は、車両１００のドライバの選択結果に応じてＥＶモードとＨＶモードとを切り替える制御を行う。また、ハイブリッド制御装置１１０は、ＥＶモードとＨＶモードとを自動的に切り替える機能を有しており、ナビ制御装置１２１から入力される車両１００の走行経路の各区間の走行に要する走行負荷に関する情報等に基づいてＥＶモードとＨＶモードとを切り替える制御を行う。なお、走行負荷は、その区間における単位距離当たりの負荷量であって、当該区間の走行に要する平均的な負荷量である。一方、その区間の完走に要する走行負荷の累積値は、消費エネルギーとしてこれを定義する。
【００２４】
また、車両１００は、地図データが登録された地図情報データベース１２２を備えている。地図データは、道路などの地理に関するデータである。地図データには、地理を表示可能な表示種別のデータなどとともに、緯度経度などの位置に関する情報が登録されている。表示種別のデータには、川、湖、及び海等の表示情報が含まれる。また、地図データには、交差点名称、道路名称、方面名称、方向ガイド、及び施設情報などの情報が登録されていてもよい。
【００２５】
また、地図情報データベース１２２には、道路上の位置を示すノードに関する情報であるノードデータと、２つのノードの間の区間としてのリンクに関する情報であるリンクデータとが含まれている。ノードは、道路上において、交差点、信号機、及びカーブ等の特定の交通要素の位置や車線数が変更される地点などに設定される。ノードデータには、ノードの位置情報や、当該位置の道路情報などが含まれる。リンクは、２つのノードの間に、それら２つのノードに区切られた区間として設定される。リンクデータには、２つのノードの情報や、当該リンクの区間の道路情報などが含まれる。リンクデータに含まれる走行負荷情報から、走行負荷を取得もしくは算出することができる。リンクの区間の道路情報としては、始点位置、終点位置、距離、経路、起伏などの情報が含まれる。また、リンクデータには、リンクの区間の走行負荷を含むコストデータ、道路種類を含む道路データ、特定の位置を示すマークデータ、交差点の情報を示す交差点データ、施設の情報を示す施設データ等の各種データが含まれている。
【００２６】
詳述すると、ノードデータは、例えば、ノードの識別番号であるノードＩＤ、ノードの座標、ノードに接続される全リンクのリンクＩＤ、交差点や合流地点等の種別を示すノード種別等によって構成されてもよい。また、ノードデータは、ノードを表す画像の識別番号である画像ＩＤなどのノードの特性を示すデータ等を含んで構成されてもよい。
【００２７】
また、リンクデータは、例えば、リンクの識別番号であるリンクＩＤ、リンク長、始点及び終点に接続する各ノードのノードＩＤによって構成されている。また、リンクデータは、高速道路、有料道路、一般道路、市街地／郊外道路、山間部道路、トンネル、橋、立体交差路等の道路種別を示すデータに加え、道路幅員、車線数、リンク走行時間、法定制限速度、及び道路の勾配等を示すデータ等のうち必要な情報を含んで構成されている。さらに、リンクデータは、各リンクにおける車両１００の必要出力である走行負荷情報として、移動時間、移動速度、消費燃料量、及び消費電力量等の平均値や最大値、最小値等を示すデータを含んで構成されてもよい。消費電力量は、車両１００がＥＶモードにて走行したときに電動モータにより消費される電力量である。リンク（区間）の走行負荷は、こうした走行負荷情報に基づいて取得もしくは算出される。なお、走行負荷は、リンク（区間）における平均値であり、単位を［ｋＷ］等としている。また、各リンク（区間）の完走に必要な走行負荷の累積値としての消費エネルギーは、走行負荷とリンク長（区間長）とから算出することができる。
【００２８】
車両１００には、経路案内等を行うナビゲーションシステム１２０が搭載されている。ナビゲーションシステム１２０のナビ制御装置１２１は、車両１００の現在地点（緯度経度）を、ＧＰＳ１０１から取得する。また、ナビ制御装置１２１は、ドライバによって目的地点が設定されると、この目的地点（緯度経度）を特定する。そして、ナビ制御装置１２１は、車両１００の現在地点から目的地点までの走行経路を、地図情報データベース１２２の参照を通じて、例えばダイクストラ法等を用いて探索する。
【００２９】
ナビ制御装置１２１は、車両１００から得られる走行した走行経路における移動時間、移動速度、消費燃料量、及び消費電力量を学習する学習部１２１ａを備えている。学習部１２１ａは、移動支援装置を構成し、ナビ制御装置１２１におけるプログラムの実行処理などによりその機能が発揮されるものである。学習部１２１ａは、走行経路の各区間の移動時間、移動速度、消費燃料量、及び消費電力量を各種センサから取得して、これらの情報を地図情報データベース１２２の各区間に関連付けして記憶する。学習部１２１ａは、同一区間を走行する度に地図情報データベース１２２の各区間に関連付けして蓄積し、各区間の情報の精度を高める。
【００３０】
また、ナビ制御装置１２１は、走行モードの計画をする際に参照する走行負荷等の情報を生成する情報生成部１２１ｂを備えている。情報生成部１２１ｂは、移動支援装置を構成し、ナビ制御装置１２１におけるプログラムの実行処理などによりその機能が発揮されるものである。特に、情報生成部１２１ｂは、走行経路の各区間の走行負荷を、各区間の勾配情報や渋滞情報に基づいて算出する機能を備えている。情報生成部１２１ｂは、通常走行時の走行負荷を、車両１００の移動速度、移動時間、消費燃料量、消費電力量等の車両の情報、及び走行環境の情報に基づいて算出する。そして、学習部１２１ａが地図情報データベース１２２の各区間に関連付けして記憶する。
【００３１】
ナビ制御装置１２１には、渋滞情報、所要時間、事故・故障車・工事情報、速度規制・車線規制等の情報を取得する道路交通情報通信システム（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：ＶＩＣＳ（登録商標））１２５が接続されている。また、ナビ制御装置１２１には、データセンターや情報を共有する車両から得られる実際に走行した位置や車速などの情報を用いて生成された道路交通情報であるプローブ交通情報を取得するプローブ情報装置１２６が接続されている。このため、情報生成部１２１ｂは、ＶＩＣＳ１２５及びプローブ情報装置１２６の一方又は両方から渋滞情報を取得して、走行経路の各区間のうち渋滞している区間を把握することができる。
【００３２】
そして、ナビ制御装置１２１は、探索した走行経路や算出した走行負荷、移動時間、移動速度、消費燃料量、及び消費電力量を示す情報を、車載ネットワークＮＷを介してハイブリッド制御装置１１０に出力するとともに、車載ネットワークＮＷを介して車室内に設けられた液晶ディスプレイ等からなる表示装置１２３に出力する。
【００３３】
また、車両１００には、ダッシュボードに設けられたインストルメントパネルに表示されるメータの表示状況を制御するメータ制御装置１２４が設けられている。メータ制御装置１２４は、例えばバッテリ１１３の充放電状況等を示すデータをハイブリッド制御装置１１０から取得し、この取得したデータに基づいて例えば車両１００内のエネルギーフローを可視表示する。エネルギーフローとは、バッテリ１１３の充放電、電動モータの駆動力／回生などによって生じる車両１００におけるエネルギーの流れである。なお、エネルギーフローには、内燃機関の駆動力などによって生じる車両１００におけるエネルギーの流れが含まれていてもよい。
【００３４】
ハイブリッド制御装置１１０は、走行経路が入力されると、その走行経路の各区間に走行モードの割り当てを行う。ハイブリッド制御装置１１０は、走行経路に応じた走行モードの割り当てを支援する運転支援部１１１を備えている。運転支援部１１１は、ナビ制御装置１２１からドライバにより設定された目的地点までの走行経路の情報を取得する。また、運転支援部１１１は、取得した走行経路の区間に割り当てられる走行モードの計画等を行うモード計画部１１１ａを備えている。モード計画部１１１ａは、移動支援装置を構成し、ハイブリッド制御装置１１０におけるプログラムの実行処理などによりその機能が発揮されるものである。モード計画部１１１ａは、走行経路全体のエネルギー収支を考慮して、走行経路の各区間の走行負荷に応じて各区間の走行モードを計画する機能を備えている。
【００３５】
一般に、電動モータによる走行を走行負荷の低い区間に適用するほうが効率が良い傾向にあり、内燃機関による走行を走行負荷の大きい区間に適用するほうが効率が良い傾向にある。そこで、ハイブリッド制御装置１１０は、走行負荷の低い区間にはＥＶモードを割り当て、走行負荷の大きい区間にはＨＶモードを割り当てるようにしている。
【００３６】
モード計画部１１１ａは、複数の対象区間について、それらの区間における走行負荷を比較して低い区間から順にＥＶモードを割り当てる。また、モード計画部１１１ａは、ＥＶモードを割り当てた区間の消費エネルギーを積算し、バッテリ１１３のエネルギー残量から減算する。そして、モード計画部１１１ａは、積算された消費エネルギーがバッテリ１１３のエネルギー量の残量を超えないように、各区間へのＥＶモードの割り当てを続ける。これにより、モード計画部１１１ａは、走行経路の各区間のうち、相対的に走行負荷の低い区間にＥＶモードを割り当てる。また、モード計画部１１１ａは、ＥＶモードが割り当てられなかった区間にはＨＶモードを割り当てる。
【００３７】
ところで、モード計画部１１１ａは、目的地においてバッテリ１１３の残量が零になるように、走行経路全体のエネルギー収支を考慮して走行経路の各区間の走行モードを計画している。例えば、モード計画部１１１ａは、渋滞が発生している区間（渋滞区間）では走行負荷が通常走行時よりも低くなる傾向にあるため、渋滞区間にＥＶモードを優先的に設定するとともに、バッテリの残量が零になるようにその他の走行負荷の低い区間にもＥＶモードを設定している。しかし、交通流の変化などによって予測が外れ、バッテリ１１３の残量が予測よりも早く減少したような場合には、走行モードの再計画によって走行モードが大きく異なることがあるなど、運転者に違和感を与えることがある。そこで、モード計画部１１１ａは、渋滞区間に設定されている走行負荷よりも走行負荷が低い区間を優先して走行モードをＥＶモードに計画する。
【００３８】
すなわち、モード計画部１１１ａは、ＶＩＣＳ１２５及びプローブ情報装置１２６の一方又は両方から渋滞情報を取得して渋滞している区間を把握する。渋滞区間には、情報生成部１２１ｂによって通常走行時の走行負荷よりも低い一定の走行負荷Ｐｊａｍが設定されている。モード計画部１１１ａは、渋滞区間の走行負荷Ｐｊａｍよりも走行負荷が低い区間を、渋滞区間よりも優先してＥＶ優先区間とする。こうして、走行モードの再計画に伴って走行モードが大きく異なることが抑制され、走行経路の各区間に対する走行モードの計画の適正化を促進することができる。
【００３９】
モード計画部１１１ａはまた、上記のように走行経路の各区間に対して計画した走行モードを表示装置１２３に出力し、走行している区間の計画した走行モードを表示装置１２３に表示させる。
【００４０】
ハイブリッド制御装置１１０は、現在走行している位置情報を適宜取得することで現在走行している区間、言い換えれば現区間を特定するとともに、その特定された区間に計画された走行モードで車両１００が走行するようにしている。つまり、ハイブリッド制御装置１１０は、車両１００の走行経路が変化する都度、車両１００の走行モードを当該区間に割り当てられたＥＶモード又はＨＶモードに切り替える。これにより、車両１００は、現在走行している区間（現区間）に計画された走行モードで走行する。
【００４１】
次に、図２及び図３を参照して、運転支援部１１１のモード計画部１１１ａによる走行モードの計画処理について、その作用とともに説明する。運転支援部１１１は、ナビ制御装置１２１から走行経路が伝達される都度、その走行経路の各区間に対する走行モードの計画を行う。また、モード計画部１１１ａは、所定の計画周期毎に走行モードの再計画を行う。
【００４２】
図２及び図３に示すように、運転支援部１１１は、ナビ制御装置１２１によって目的地点が設定されると、走行経路中の全区間について経路情報を取得する（ステップＳ２１）。
【００４３】
運転支援部１１１は次いで、走行経路の全区間の消費エネルギーの総和Ｅｓｕｍを算出して（ステップＳ２２）、走行経路の全区間の消費エネルギーの和Ｅｓｕｍがバッテリ１１３の残量よりも大きいか否かを判断する（ステップＳ２３）。すなわち、モード計画部１１１ａは、走行経路の全区間をＥＶモードで走行できるか否かを判断する。そして、運転支援部１１１は、走行経路の全区間の消費エネルギーの和Ｅｓｕｍがバッテリ１１３の残量以下であると判断した場合には（ステップＳ２３：ＮＯ）、走行経路の全区間にＥＶモードを割り当てる（ステップＳ４０）。
【００４４】
一方、運転支援部１１１は、走行経路の全区間の消費エネルギーの和Ｅｓｕｍがバッテリ１１３の残量よりも大きいと判断した場合には（ステップＳ２３：ＹＥＳ）、区間ｉ＝１〜ｉとして、区間ｉ＝０とする（ステップＳ２４）。
【００４５】
次に、運転支援部１１１は、区間ｉの走行負荷が渋滞区間の走行負荷Ｐｊａｍより低いか否かを判断する（ステップＳ２５）。すなわち、モード計画部１１１ａは、渋滞区間の走行負荷Ｐｊａｍよりも低い走行負荷の区間であるか否かを判断する。その結果、運転支援部１１１は、当該区間ｉの走行負荷が渋滞区間の走行負荷Ｐｊａｍ以上であると判断した場合には（ステップＳ２５：ＮＯ）、ステップＳ２７に移行する。すなわち、モード計画部１１１ａは、ステップＳ２６において行う走行負荷の書き換えを行わない。
【００４６】
また、運転支援部１１１は、当該区間ｉの走行負荷が渋滞区間の走行負荷Ｐｊａｍよりも低いと判断した場合には（ステップＳ２５：ＹＥＳ）、区間ｉの走行負荷を「α」に書き換える（ステップＳ２６）。すなわち、モード計画部１１１ａは、区間ｉの走行負荷を渋滞区間の走行負荷Ｐｊａｍよりも低く、かつ通常走行時に設定される値よりも低い値に書き換える。このようにすることで、モード計画部１１１ａは、渋滞区間の走行負荷Ｐｊａｍよりも走行負荷が低い区間を優先してＥＶモードに計画することができる。なお、走行負荷が渋滞区間の走行負荷Ｐｊａｍよりも低い区間ｉの消費エネルギーは、書き換えた走行負荷αに基づくものではなく、地図情報データベース１２２から取得した走行負荷に基づいて算出したものを採用する。
【００４７】
次に、運転支援部１１１は、区間ｉが渋滞区間であるか否かを判断する（ステップＳ２７）。その結果、運転支援部１１１は、区間ｉが渋滞区間でないと判断した場合には（ステップＳ２７：ＮＯ）、ステップＳ２９に移行する。
【００４８】
また、運転支援部１１１は、区間ｉが渋滞区間であると判断した場合には（ステップＳ２７：ＹＥＳ）、区間ｉの走行負荷Ｐｉを「β」に書き換える（ステップＳ２８）。すなわち、モード計画部１１１ａは、区間ｉの走行負荷を、渋滞区間の走行負荷Ｐｊａｍよりも低い区間に設定される走行負荷αよりも高い値に書き換える。このようにすることで、モード計画部１１１ａは、渋滞区間が渋滞区間の走行負荷Ｐｊａｍよりも低い区間の次に優先してＥＶモードに計画される。なお、渋滞区間である区間ｉの消費エネルギーは、書き換えた走行負荷βに基づくものではなく、地図情報データベース１２２から取得した走行負荷に基づいて算出したものを採用する。
【００４９】
次に、運転支援部１１１は、区間ｉが総区間数と一致するか否かを判断する（ステップＳ２９）。すなわち、モード計画部１１１ａは、全区間について確認して必要に応じて仮想の走行負荷に書き換えたか否かを判断する。その結果、運転支援部１１１は、区間ｉが総区間数と一致しないと判断した場合には（ステップＳ２９：ＮＯ）、区間を１つ加算するためにｉ＝ｉ＋１として（ステップＳ３８）、ステップＳ２５からの処理を繰り返す。
【００５０】
また、運転支援部１１１は、区間ｉが総区間数と一致すると判断した場合には（ステップＳ２９：ＹＥＳ）、走行経路の各区間の走行負荷を比較して、走行負荷の低い順に各区間を並び替える（ステップＳ３０）。すなわち、モード計画部１１１ａは、上記の書き換えた走行負荷α，βを含む走行負荷を比較して並び替える。
【００５１】
運転支援部１１１は、走行負荷の低い順に並び替えた区間を区間ｎ＝１〜ｎとし、区間ｎ＝１、消費エネルギーＥ”＝０とする（ステップＳ３１）。続いて、運転支援部１１１は、区間ｎまでの消費エネルギーの和（Ｅ”＝Ｅ”＋Ｅｎ）を算出する（ステップＳ３２）。なお、区間ｎの消費エネルギーは、書き換えた走行負荷αに基づくものではなく、地図情報データベース１２２から取得した走行負荷に基づいて算出したものを採用する。書き換えた走行負荷α，βは、走行負荷に基づいて区間を並び替えるためだけに使用する。
【００５２】
次に、運転支援部１１１は、区間ｎまでの区間の消費エネルギーの和Ｅ”がバッテリ１１３の残量よりも大きいか否かを判断する（ステップＳ３３）。運転支援部１１１は、区間ｎまでの区間の消費エネルギーの和Ｅ”がバッテリ１１３の残量以下であると判断した場合には（ステップＳ３３：ＮＯ）、区間を１つ加算するためにｎ＝ｎ＋１として（ステップＳ３９）、ステップＳ３２からの処理を繰り返す。
【００５３】
また、運転支援部１１１は、区間ｎまでの区間の消費エネルギーの和Ｅ”がバッテリ１１３の残量よりも大きいと判断した場合には（ステップＳ３３：ＹＥＳ）、並び替えた後の１〜ｎまでの区間をＥＶモードに設定する（ステップＳ３４）。そして、運転支援部１１１は、走行経路の各区間に走行モードを割り当てる（ステップＳ３５）。
【００５４】
続いて、運転支援部１１１は、前回のモード計画から所定時間が経過したか否かを判断する（ステップＳ３６）。その結果、運転支援部１１１は、前回のモード計画から所定時間が経過していないと判断した場合には（ステップＳ３６：ＮＯ）、所定時間が経過するまで待機する。
【００５５】
また、運転支援部１１１は、前回のモード計画から所定時間経過したと判断した場合には（ステップＳ３６：ＹＥＳ）、終了条件が成立しているか否かを判断する（ステップＳ３７）。すなわち、モード計画部１１１ａは、バッテリ１１３の残量が残り僅かとなった等の終了条件が成立しているか否かを判断する。そして、運転支援部１１１は、バッテリ１１３の残量が残っていれば、終了条件が成立していないと判断して（ステップＳ３７：ＮＯ）、ステップＳ２１に移行して走行モードの再計画を実行する。一方、運転支援部１１１は、バッテリ１１３の残量が残り僅かであれば、終了条件が成立していると判断して（ステップＳ３７：ＹＥＳ）、モード計画処理を終了する。
【００５６】
以下、図４〜図７を参照して、具体的な走行モードの計画例について説明する。
例えば図４に示されるように、現在地点から目的地点までの走行経路として、ナビゲーションシステム１２０により探索された走行経路には、第１区間ｋ１〜第１０区間ｋ１０の区間ｉが含まれているものとする。また、第１区間ｋ１〜第１０区間ｋ１０の各区間ｉにおける走行負荷及び消費エネルギー等に関する情報が地図情報データベース１２２から得られているものとする。なお、図４には、走行経路の各区間ｉを車両１００が走行する際の消費エネルギーＥｉが記載されている。ここで、第５区間ｋ５と第７区間ｋ７とは、渋滞している区間（渋滞区間）である。また、各区間ｉの消費エネルギーＥｉの値が「−（マイナス）」となっている第１区間ｋ１と第２区間ｋ２とは、下り坂等の回生エネルギーを得られる回生区間である。そして、モード計画部１１１ａは、走行経路の各区間ｉの走行負荷と消費エネルギーＥｉに基づいて各区間ｉの走行モードを計画する。
【００５７】
次に、図５及び図６を参照して、渋滞区間の走行モードを優先してＥＶモードに計画した場合の計画例について説明する。ここで、図５はモード計画を行う地点においてバッテリ１１３の残量が２００Ｗｈであった場合を示し、図６はモード計画を行う地点においてバッテリ１１３の残量が１８０Ｗｈであった場合を示す。
【００５８】
図５（ａ）に示されるように、モード計画部１１１ａは、渋滞区間である第５区間ｋ５と第７区間ｋ７とにＥＶモードを優先して割り当てて、バッテリ１１３の残量である２００Ｗｈを使い切るように走行モードを計画する。すなわち、モード計画部１１１ａは、まずは第５区間ｋ５と第７区間ｋ７とにＥＶモードを設定する。次いで、モード計画部１１１ａは、目的地点に近い第９区間ｋ９と第１０区間ｋ１０との２区間にバッテリ１１３の残量が残らないように予測がはずれた際に使い切るための終了マージンとしてＨＶモードを設定する。そして、モード計画部１１１ａは、第５区間ｋ５の消費エネルギーＥ５＝１５０Ｗｈと第７区間ｋ７の消費エネルギーＥ７＝４０Ｗｈとの和（１５０＋４０＝１９０Ｗｈ）を算出し、第５区間ｋ５と第７区間ｋ７とにＥＶモードを割り当てた時点のバッテリ１１３の残量（２００−１９０＝１０Ｗｈ）を算出する。
【００５９】
続いて、図５（ｂ）に示されるように、モード計画部１１１ａは、走行経路の区間の中で走行負荷が低い第１区間ｋ１と第２区間ｋ２とにＥＶモードを設定する。そして、モード計画部１１１ａは、第１区間ｋ１の消費エネルギーＥ１＝−３０Ｗｈと第２区間ｋ２の消費エネルギーＥ２＝−２０Ｗｈとの和（−３０＋（−２０）＝−５０Ｗｈ）を算出し、第１区間ｋ１と第２区間ｋ２とにＥＶモードを割り当てた時点のバッテリ１１３の残量（１０−（−５０）＝６０Ｗｈ）を算出する。
【００６０】
続いて、図５（ｃ）に示されるように、モード計画部１１１ａは、走行経路の区間の中で第１区間ｋ１や第２区間ｋ２の次に走行負荷が低い第４区間ｋ４と第８区間ｋ８とにＥＶモードを設定する。そして、モード計画部１１１ａは、第４区間ｋ４の消費エネルギーＥ４＝１０Ｗｈと第８区間ｋ８の消費エネルギーＥ８＝６０Ｗｈとの和（１０＋６０＝７０Ｗｈ）を算出し、第４区間ｋ４と第８区間ｋ８とにＥＶモードを割り当てた時点のバッテリ１１３の残量（６０−７０＝−１０Ｗｈ）を算出する。モード計画部１１１ａは、この時点でＥＶモードでの走行区間の消費エネルギーがバッテリ１１３の残量を超えるので、ＥＶモードの割り当てを終了する。
【００６１】
図５（ｄ）に示されるように、モード計画部１１１ａは、第９区間ｋ９と第１０区間ｋ１０とに加え、残りの第３区間ｋ３と第６区間ｋ６にＨＶモードを割り当て、モード計画処理を終了する。
【００６２】
また、図６（ａ）に示されるように、バッテリ１１３の残量が１８０Ｗｈであった場合、モード計画部１１１ａは、図５と同様に、渋滞区間である第５区間ｋ５と第７区間ｋ７にＥＶモードを設定する。また、モード計画部１１１ａは、目的地点に近い第９区間ｋ９と第１０区間ｋ１０との２区間にＨＶモードを設定する。そして、モード計画部１１１ａは、第５区間ｋ５の消費エネルギーＥ５＝１５０Ｗｈと第７区間ｋ７の消費エネルギーＥ７＝４０Ｗｈとの和（１５０＋４０＝１９０Ｗｈ）を算出し、第５区間ｋ５と第７区間ｋ７とにＥＶモードを割り当てた時点のバッテリ１１３の残量（１８０−１９０＝−１０Ｗｈ）を算出する。モード計画部１１１ａは、この時点でＥＶモードでの走行区間の消費エネルギーがバッテリ１１３の残量を超えるので、ＥＶモードの割り当てを終了する。
【００６３】
図６（ｂ）に示されるように、モード計画部１１１ａは、第９区間ｋ９と第１０区間ｋ１０とに加え、残りの第１区間ｋ１〜第４区間ｋ４、第６区間ｋ６、第８区間ｋ８にＨＶモードを割り当て、モード計画処理を終了する。
【００６４】
これら図５と図６とを比較してわかるように、走行経路に渋滞区間と渋滞区間よりも走行負荷が低い回生区間等が含まれているようなときに、渋滞区間を優先してＥＶモードに計画した場合には、バッテリ１１３の残量が例えば２０Ｗｈ違うだけで、モード計画の結果が異なったものとなる。このため、先のモード計画時からの予測が外れた状態で走行モードの再計画をすると、走行モードが大きく異なり、運転者に違和感を与えることとなる。また、走行経路の各区間に対して適正な走行モードが計画されないこととなる。
【００６５】
そこで、本実施形態では、走行経路に渋滞区間と渋滞区間よりも走行負荷が低い回生区間等が含まれている場合には、渋滞区間よりも走行負荷が低い区間を優先してＥＶモードに計画する。すなわち、図６に代わる図として図７に示す。
【００６６】
図７（ａ）に示されるように、モード計画部１１１ａは、まず走行経路の区間の中で渋滞区間よりも走行負荷が低い第１区間ｋ１と第２区間ｋ２とにＥＶモードを設定する。また、モード計画部１１１ａは、目的地点に近い第９区間ｋ９と第１０区間ｋ１０との２区間に終了マージンとしてＨＶモードを設定する。そして、モード計画部１１１ａは、第１区間ｋ１の消費エネルギーＥ１＝−３０Ｗｈと第２区間ｋ２の消費エネルギーＥ２＝−２０Ｗｈとの和（−３０＋（−２０）＝−５０Ｗｈ）を算出し、第１区間ｋ１と第２区間ｋ２とにＥＶモードを割り当てた時点のバッテリ１１３の残量（１８０−（−５０）＝２３０Ｗｈ）を算出する。
【００６７】
続いて、図７（ｂ）に示されるように、モード計画部１１１ａは、渋滞区間である第５区間ｋ５と第７区間ｋ７とにＥＶモードを設定する。そして、モード計画部１１１ａは、第５区間ｋ５の消費エネルギーＥ５＝１５０Ｗｈと第７区間ｋ７の消費エネルギーＥ７＝４０Ｗｈとの和（１５０＋４０＝１９０Ｗｈ）を算出し、第５区間ｋ５と第７区間ｋ７とにＥＶモードを割り当てた時点のバッテリ１１３の残量（２３０−１９０＝４０Ｗｈ）を算出する。
【００６８】
続いて、図７（ｃ）に示されるように、モード計画部１１１ａは、走行経路の区間の中で渋滞区間の次に走行負荷が低い第４区間ｋ４と第８区間ｋ８とにＥＶモードを設定する。そして、モード計画部１１１ａは、第４区間ｋ４の消費エネルギーＥ４＝１０Ｗｈと第８区間ｋ８の消費エネルギーＥ８＝６０Ｗｈとの和（１０＋６０＝７０Ｗｈ）を算出し、第４区間ｋ４と第８区間ｋ８とにＥＶモードを割り当てた時点のバッテリ１１３の残量（４０−７０＝−３０Ｗｈ）を算出する。モード計画部１１１ａは、この時点でＥＶモードでの走行区間の消費エネルギーがバッテリ１１３の残量を超えるので、ＥＶモードの割り当てを終了する。
【００６９】
図７（ｄ）に示されるように、第９区間ｋ９と第１０区間ｋ１０とに加え、残りの第３区間ｋ３と第６区間ｋ６にＨＶモードを割り当て、モード計画処理を終了する。
つまり、渋滞区間よりも走行負荷が低い区間を優先してＥＶモードに計画すると、バッテリ１１３の残量が１８０Ｗｈであっても、２００Ｗｈである場合と同じモード計画となる。このため、走行モードが異なることによって運転者に違和感を与えることがなくなるとともに、走行経路の各区間に対する走行モードの計画の適正化が促進される。
【００７０】
本実施形態ではこのように、渋滞区間の走行負荷よりも走行負荷が低い区間を優先して走行モードをＥＶモードに計画する。こうして、渋滞区間の走行負荷よりも走行負荷が低い区間ではＥＶモードで走行されるように再計画が行われるので、走行経路の各区間に対する走行モードの計画の適正化を促進することができる。
【００７１】
以上説明したように、本実施形態によれば、以下の効果を奏することができる。
（１）渋滞している区間に設定されている走行負荷Ｐｊａｍよりも走行負荷が低い区間、例えば下り坂等の回生エネルギーが得られる区間が優先して走行モードがＥＶモードに計画される。このため、交通流の変化などによって予測が外れたときに走行モードの再計画を行ったとしても、渋滞区間よりも走行負荷が低い区間から優先してＥＶモードが走行モードとして計画されるので、走行経路の各区間に対する走行モードの計画の適正化が促進されるようになる。
【００７２】
なお、上記実施形態は、これを適宜変更した以下の形態にて実施することもできる。
・上記実施形態では、渋滞区間に通常走行時の走行負荷よりも低い一定の走行負荷Ｐｊａｍを設定した。しかしながら、渋滞区間に一律に同じ走行負荷Ｐｊａｍを設定せず、各渋滞区間において渋滞の度合い等に応じた異なる走行負荷を設定してもよい。
【００７３】
・上記実施形態では、車載ネットワークＮＷはＣＡＮである場合について例示した。しかしこれに限らず、車載ネットワークＮＷは、接続されているＥＣＵ等を通信可能に接続させるものであれば、イーサーネット（登録商標）や、フレックスレイ（登録商標）や、ＩＥＥＥ１３９４（ＦｉｒｅＷｉｒｅ（登録商標））などその他のネットワークから構成されていてもよい。また、ＣＡＮを含み、これらのネットワークが組み合わされて構成されていてもよい。これにより、移動支援装置が用いられる車両について構成の自由度の向上が図られる。
【００７４】
・上記実施形態では、ＧＰＳ１０１が車載ネットワークＮＷを介してナビ制御装置１２１に接続されたが、ＧＰＳ１０１がナビ制御装置１２１に直接接続されてもよい。
・上記実施形態では、ナビゲーションシステム１２０と運転支援部１１１とが別々の構成である場合について例示した。しかしこれに限らず、ナビゲーションシステムと運転支援部とは同一の装置に設けられていてもよい。これにより、移動支援装置の構成の自由度の向上が図られる。
【００７５】
・上記実施形態では、ハイブリッド制御装置１１０と運転支援部１１１とが同一の装置に設けられている場合について例示した。しかしこれに限らず、ハイブリッド制御装置と運転支援部とは別々の装置に設けられていてもよい。これにより、移動支援装置の構成の自由度の向上が図られる。
【００７６】
・上記実施形態では、ナビゲーションシステム１２０、表示装置１２３などの各装置が車両１００に一体として設けられている場合について例示した。しかしこれに限らず、ナビゲーションシステム、表示装置などの各装置は、相互に通信可能に接続されるのであれば、携帯電話やスマートフォンなどの携帯可能な情報処理装置等をそれらの機能の全部又は一部として用いてもよい。これにより、移動支援装置の設計自由度の拡大が図られる。
【００７７】
・上記実施形態では、運転支援部１１１、ナビゲーションシステム１２０、地図情報データベース１２２などが車両１００に搭載されている場合について例示した。しかしこれに限らず、運転支援部、ナビゲーションシステム、地図情報データベースなどの一部の機能が、車外の情報処理装置に設けられていたり、携帯型情報処理装置に設けられていたりしてもよい。車外の情報処理装置としては情報処理センターが挙げられ、携帯型情報処理装置としては、携帯電話やスマートフォンなどが挙げられる。車外の情報処理装置であれば無線通信回線などを介して情報を授受するようにすればよい。携帯型情報処理装置であれば、車載ネットワークに接続してもよいし、近距離通信によって接続されていてもよいし、無線通信回線を介して情報を授受してもよい。これにより、移動支援装置の設計自由度の拡大が図られる。
【００７８】
・上記実施形態では、車両１００から得られる走行した走行経路における移動時間、移動速度、消費燃料量、及び消費電力量を学習する学習部１２１ａを備えた。しかしながら、走行した走行経路において学習する学習機能を省略してもよい。これにより、学習に要する処理を削減することができる。
【００７９】
・上記実施形態では、走行モードの割り当てが運転支援部１１１により行われる場合について例示した。しかしこれに限らず、走行モードの割り当てをナビ制御装置などで行ってもよい。これにより、移動支援装置の設計自由度の拡大が図られる。
【００８０】
・上記実施形態では、主に、走行モードの割り当てが、車両１００の位置が現在地点であるとき実行される場合について例示したが、走行モードの割り当ては、車両が目的地点に移動しているいずれの地点においても実行されてもよい。そして、いずれの地点における実行についても走行経路の全区間に対する適切な走行モードの割り当てを行うことができる。これにより、移動支援装置の設計自由度の拡大が図られる。
【符号の説明】
【００８１】
１００…車両、１０１…ＧＰＳ、１０２…車載カメラ、１０３…ミリ波レーダー、１０４…加速度センサ、１０５…車速センサ、１０６…アクセルセンサ、１０７…ブレーキセンサ、１０８…アクセルアクチュエータ、１０９…ブレーキアクチュエータ、１１０…ハイブリッド制御装置、１１１…運転支援部、１１１ａ…モード計画部、１１２…電池アクチュエータ、１１３…バッテリ、１２０…ナビゲーションシステム、１２１…ナビ制御装置、１２１ａ…学習部、１２１ｂ…情報生成部、１２２…地図情報データベース、１２３…表示装置、１２４…メータ制御装置、１２５…道路交通情報通信システム（ＶＩＣＳ）、１２６…プローブ情報装置、１３０…エンジン制御装置、ＮＷ…車載ネットワーク、Ｐｉ，Ｐｊａｍ，α，β…走行負荷。
【図１】
2015157570.tif 000003
【図２】
2015157570.tif 000004
【図３】
2015157570.tif 000005
【図４】
2015157570.tif 000006
【図５】
2015157570.tif 000007
【図６】
2015157570.tif 000008
【図７】
2015157570.tif 000009